(57)【要約】【課題】生体に対する装置のずれの影響を除いて脈に関する情報を得られるようにする。【解決手段】人体の表皮で反射した波長が４００ｎｍの光から得たデジタル信号Ｓ２１と、人体の毛細血管で反射した波長が５５０ｎｍの光から得たデジタル信号Ｓ２２が適応フィルターであるフィルター部６０に入力される。フィルター部６０は、係数を変更可能なＦＩＲフィルターを有しており、ＦＩＲフィルターから出力された信号をデジタル信号Ｓ２２から減算し、減算結果を示す信号を出力する。またフィルター部６０は、減算結果を示す信号に応じて、ＦＩＲフィルターから出力される信号がデジタル信号Ｓ２２に含まれている人体に対する装置のずれの成分に近づくようにＦＩＲフィルターのフィルター係数を変更する。制御部３０は、フィルター部６０から出力された信号から脈拍数を求め、求めた脈拍数を表示する。【選択図】図３
2011104124.tif 000002
【特許請求の範囲】
【請求項１】
生体の表皮で反射する第１波長の光と、前記第１波長より波長が長く前記生体の網状層内で反射する第２波長の光を生体に照射する光源と、
前記光源から照射されて前記生体で反射された前記第１波長の光と、前記光源から照射されて前記生体で反射された前記第２波長の光とを受光し、受光した前記第１波長の光に対応した第１信号と、受光した前記第２波長の光に対応した第２信号を出力する受光部と、
前記第１信号が入力され、フィルター係数を変更可能なデジタルフィルターと、
前記デジタルフィルターから出力された信号を前記第２信号から減算し、減算結果を示す信号を出力する演算部と、
前記演算部から出力された信号に応じて前記デジタルフィルターのフィルター係数を変更する係数変更部と、
前記演算部から出力された信号から脈に関する情報を生成する情報生成部と
を有する脈測定装置。
【請求項２】
前記生体の体動による当該脈測定装置の加速度を測定し、測定した加速度を表す加速度信号を出力する加速度測定部を有し、
前記情報生成部は、前記加速度信号から前記体動の周波数を特定し、該特定した体動の周波数の成分を前記演算部から出力された信号から除去して得た信号から脈に関する情報を生成すること
を特徴とする請求項１に記載の脈測定装置。
【請求項３】
前記光源は、前記第１波長の光と前記第２波長の光を交互に前記生体に照射することを特徴とする請求項１または請求項２に記載の脈測定装置。
【発明の詳細な説明】
【技術分野】
【０００１】
本発明は生体の脈に関する情報を得る技術に関する。
【背景技術】
【０００２】
特許文献１には、光を生体に照射し、生体中の血液で反射された光を受光素子で検出して脈拍を測定する生体状態検出装置が開示されている。この生体状態検出装置は、生体に緑色光を照射する緑色ＬＥＤ（Light Emitting Diode）と赤外光を照射する赤色ＬＥＤを有している。また、この生体状態検出装置は、生体で反射した緑色光と赤外光を受光する受光素子を有している。そして、この生体状態検出装置は、緑色ＬＥＤと赤色ＬＥＤとを交互に点灯させ、受光素子で緑色光を受光して得た信号と、受光素子で赤外光を受光して得た信号とを用いて脈拍数を算出する。
【先行技術文献】
【特許文献】
【０００３】
【特許文献１】特開２００８−２６４３０２号公報
【発明の概要】
【発明が解決しようとする課題】
【０００４】
ところで、生体の脈拍や脈波を測定する際には、体動が生じることによって装置が生体に対してずれることがある。しかしながら、上記生体状態検出装置においては、受光素子から出力された信号に含まれている上記ずれの成分を特定し、このずれの成分を除去した信号を得ることはできていない。
【０００５】
本発明は、上述した事情に鑑みてなされたものであり、その目的の一つは、生体に対する装置のずれの影響を除いて脈に関する情報を得られるようにすることにある。
【課題を解決するための手段】
【０００６】
上記目的を達成するため、本発明に係る脈測定装置は、生体の表皮で反射する第１波長の光と、前記第１波長より波長が長く前記生体の網状層内で反射する第２波長の光を生体に照射する光源と、前記光源から照射されて前記生体で反射された前記第１波長の光と、前記光源から照射されて前記生体で反射された前記第２波長の光とを受光し、受光した前記第１波長の光に対応した第１信号と、受光した前記第２波長の光に対応した第２信号を出力する受光部と、前記第１信号が入力され、フィルター係数を変更可能なデジタルフィルターと、前記デジタルフィルターから出力された信号を前記第２信号から減算し、減算結果を示す信号を出力する演算部と、前記演算部から出力された信号に応じて前記デジタルフィルターのフィルター係数を変更する係数変更部と、前記演算部から出力された信号から脈に関する情報を生成する情報生成部とを有することを特徴とする。
本発明によれば、生体の脈波の成分と生体に対する脈測定装置のずれの成分とを含む第２信号から、生体に対する脈測定装置のずれを表す成分が除かれるため、生体に対する装置のずれの影響を除いて脈に関する情報を得ることができる。
【０００７】
本発明においては、前記生体の体動による当該脈測定装置の加速度を測定し、測定した加速度を表す加速度信号を出力する加速度測定部を有し、前記情報生成部は、前記加速度信号から前記体動の周波数を特定し、該特定した体動の周波数の成分を前記演算部から出力された信号から除去して得た信号から脈に関する情報を生成する構成であってもよい。
この構成によれば、生体に対する脈測定装置のずれの成分に加えて体動の成分も除かれるため、脈に関する正確な情報を得ることができる。
【０００８】
また、本発明においては、前記光源は、前記第１波長の光と前記第２波長の光を交互に前記生体に照射する構成であってもよい。
この構成によれば、第１波長の光と第２波長の光が交互に照射されるので、消費電力を抑えることができる。
【図面の簡単な説明】
【０００９】
【図１】本発明の実施形態に係る脈測定装置１の外観図。
【図２】脈測定装置１のハードウェア構成を示したブロック図。
【図３】検出部２０の構成と人体１００の皮膚を模式的に示した図。
【図４】フォトダイオード２１の外観と等価回路を示した図。
【図５】フィルター部６０の構成を示したブロック図。
【図６】脈測定装置１が行う処理の流れを示したフローチャート。
【図７】脈測定装置１が行う処理の流れを示したフローチャート。
【発明を実施するための形態】
【００１０】
［実施形態］
図１は、本発明の一実施形態に係る脈測定装置１の外観図である。脈測定装置１は、人体１００の脈波や脈拍を測定する装置である。脈測定装置１は、脈測定装置１を操作するための操作部として機能する複数のボタン５１Ａと５１Ｂを有している。また、脈測定装置１は、脈に関する情報を表示する表示部４０を有している。脈測定装置１は、腕時計と同様にベルト２によって人体１００に固定され、測定した脈波や脈拍を表示部４０に表示する。
【００１１】
図２は、測定装置１のハードウェア構成を示したブロック図である。光源１０は、人体１００に光を照射する発光ダイオード１１Ａと発光ダイオード１１Ｂを有している。なお、本実施形態においては、発光ダイオード１１Ａから出力される光のピーク波長（第１波長）は、４００ｎｍである。また、発光ダイオード１１Ｂから出力される光のピーク波長（第２波長）は、５５０ｎｍである。発光ダイオード１１Ａ、１１Ｂの消灯／点灯は、制御部３０により制御される。
検出部２０は、受光した光を電気信号に変換する受光素子（受光部）としてフォトダイオード２１を備えており、人体１００で反射した光をフォトダイオード２１で受光し、受光した光に対応した信号を出力する。
【００１２】
図３は、検出部２０の構成と人体１００の皮膚を模式的に示した図。図４（ａ）は、検出部２０が備えるフォトダイオード２１の上面図、図４（ｂ）は、フォトダイオード２１の等価回路図である。図４（ａ）に示したように、フォトダイオード２１は、第１の受光部（以下、第１受光部２２Ａと称する）と第２の受光部（以下、第２受光部２２Ｂと称する）を有している。即ち、本実施形態に係るフォトダイオード２１は、一つの受光素子において受光部を２分割した２分割フォトダイオードである。
図４（ｂ）に示したように、フォトダイオード２１は、第１受光部２２Ａに到達した光を電気信号に変換するフォトダイオード２３Ａのカソードと、第２受光部２２Ｂに到達した光を電気信号に変換するフォトダイオード２３Ｂのカソードを互いに接続し、カソード側を端子２４Ａと端子２４Ｄに接続した構成となっている。なお、フォトダイオード２３Ａのアノードは端子２４Ｃに接続され、フォトダイオード２３Ｂのアノードは、端子２４Ｂに接続されている。
フォトダイオード２１は、逆バイアスを掛けた状態で第１受光部２２Ａに光が入射すると、第１受光部２２Ａに入射した光に対応したアナログ信号Ｓ１１が端子２４Ｃから出力される。また、第２受光部２２Ｂに光が入射すると第２受光部２２Ｂに入射した光に対応したアナログ信号Ｓ１２が端子２４Ｂから出力される。
【００１３】
第１フィルター２５Ａ（第１濾光手段）と第２フィルター２５Ｂ（第２濾光手段）は、予め定められた波長の光を透過するフィルターである。第１フィルター２５Ａは第１受光部２２Ａの表面に配置され、第２フィルター２５Ｂは第２受光部２２Ｂの表面に配置されている。なお、本実施形態においては、第１フィルター２５Ａを透過する光の波長は、４００ｎｍであり、発光ダイオード１１Ａが人体１００に照射する光の波長と同じ波長となっている。また、第２フィルター２５Ｂを透過する光の波長は、５５０ｎｍとなっており、発光ダイオード１１Ｂが人体１００に照射する光の波長と同じ波長となっている。
このため、発光ダイオード１１Ａから照射されて人体１００で反射された光のうち、波長が４００ｎｍの光が第１フィルター２５Ａを透過して第１受光部２２Ａに到達する。そして、フォトダイオード２１においては、第１受光部２２Ａに入射した光の光量に対応したアナログ信号Ｓ１１が端子２４Ｃから出力される。また、発光ダイオード１１Ｂから照射されて人体１００で反射された光のうち、波長が５５０ｎｍの光が第２フィルター２５Ｂを透過して第２受光部２２Ｂに到達する。そして、フォトダイオード２１においては、第２受光部２２Ｂに入射した光の光量に対応したアナログ信号Ｓ１２が端子２４Ｂから出力される。
【００１４】
コンバーター２６は、入力されるアナログ信号をデジタル信号に変換する機能を備えている。コンバーター２６は、フォトダイオード２１の端子２４Ｂと端子２４Ｃに接続されている。コンバーター２６には、端子２４Ｂから出力されたアナログ信号Ｓ１２と、端子２４Ｃから出力されたアナログ信号Ｓ１１が入力される。また、コンバーター２６は、フィルター部６０に接続されている。コンバーター２６は、入力されたアナログ信号Ｓ１１をデジタル信号Ｓ２１に変換してフィルター部６０へ出力する。また、コンバーター２６は、入力されたアナログ信号Ｓ１２をデジタル信号Ｓ２２に変換してフィルター部６０へ出力する。
【００１５】
図５は、フィルター部６０の構成を示したブロック図である。フィルター部６０は、係数を可変できるＦＩＲ（Finite Impulse Response）フィルターと、ＦＩＲフィルターの係数をＬＭＳ（Least Mean Square）アルゴリズムにより変更する係数変更部とを組み合わせた適応フィルター（Adaptive Digital Filter; ADF）である。フィルター部６０は、ＦＩＲフィルター６１、係数変更部６２及び演算部６３を有している。
演算部６３には、デジタル信号Ｓ２２と、ＦＩＲフィルター６１から出力された信号Ｓ２３が入力される。演算部６３は、デジタル信号Ｓ２２と信号Ｓ２３との差を求める演算を行い、演算結果を示す信号Ｓ３０を係数変更部６２と制御部３０へ出力する。
ＦＩＲフィルター６１は、複数のタップを有し、各タップの係数を変更可能なＦＩＲフィルターである。ＦＩＲフィルター６１には、デジタル信号Ｓ２１が入力され、各タップの係数は、係数変更部６２により設定される。
係数変更部６２は、ＬＭＳアルゴリズムによりＦＩＲフィルター６１の各タップの係数を決定するブロックである。係数変更部６２は、演算部６３から出力された信号Ｓ３０を基にＦＩＲフィルター６１の各タップの係数を決定する。また係数変更部６２は、決定した係数となるように、ＦＩＲフィルター６１の各タップの係数を変更する。
【００１６】
制御部３０は、ＣＰＵ（Central Processing Unit）、ＲＯＭ（Read Only Memory）、ＲＡＭ（Random Access Memory）、入力ポートおよび出力ポートを備えた、所謂マイクロコンピューターである。制御部３０は、ＲＯＭに記憶されたプログラムに従って動作し、接続されている各部の制御を行う。制御部３０は、フィルター部６０から出力された信号を解析して生体の脈拍や脈波に関する情報を生成する情報生成部として機能し、表示部４０を制御して測定結果を表示部４０に表示させる。
記憶部３５は、不揮発性メモリーであり制御部３０に接続されている。記憶部３５は、制御部３０の制御の下、フィルター部６０から出力された信号Ｓ３０や測定結果を示す情報を記憶する。
表示部４０は、液晶ディスプレイ装置を備えており、制御部３０が測定した結果を表示する。なお、本実施形態においては、表示部４０は液晶ディスプレイ装置で測定結果の表示を行うが、表示を行うのは液晶ディスプレイ装置に限定されず、有機ＥＬ（Electro-Luminescence）を用いた表示装置など、他の表示装置であってもよい。
操作部５０は、測定装置１を操作するためのボタン５１Ａ，５１Ｂを備えている。制御部３０は、これらのボタンに対して行われた操作を監視し、行われた操作に応じて光源１０の制御や測定結果の表示、脈に関する情報の取得などを行う。
【００１７】
（実施形態の動作）
次に、脈測定装置１の動作について説明する。まず、図示せぬ電源から電力が脈測定装置１の各部へ供給されると、制御部３０においては、ＲＯＭに記憶されているプログラムが実行される。制御部３０がプログラムの実行を開始した後、操作部５０のボタンにおいて脈拍の測定開始を指示する操作が行われると（図６：ステップＳＡ１；ＹＥＳ）、制御部３０は、発光ダイオード１１Ａ、１１Ｂを点灯させ、人体１００の皮膚へ光を照射する（ステップＳＡ２）。そして脈測定装置１は、図７に示した測定処理を開始する（ステップＳＡ３）。なお、測定処理は、図６の処理と並行に行われる。
【００１８】
ところで、人体１００の皮膚においては、図３に示したように表皮１１０、乳頭層１２０、乳頭下層１３０、網状層１４０がある。皮膚に照射される光は波長が短いと浅い層にしか到達せず、光の波長が長くなるにつれて深い層まで到達することが知られている。例えば、発光ダイオード１１Ｂから照射される波長が５５０ｎｍの光（以下、第２光１２Ｂとする）の場合、この第２光１２Ｂは、網状層１４０にまで到達し、網状層１４０にある毛細血管内の血液で反射する。なお、人体１００の動き（以下、体動と称する）によって脈測定装置１と人体１００との間にずれが生じた場合、血液で反射した第２光１２Ｂはずれの影響も受けることとなる。
【００１９】
また、発光ダイオード１１Ａから照射される波長が４００ｎｍの光（以下、第１光１２Ａとする）の場合、この第１光１２Ａは、表皮１１０より下層にまでは到達せず、表皮１１０で反射する。なお、表皮１１０には血管がないため、表皮１１０で反射された光は、体動があった場合には、人体１００に対する脈測定装置１のずれの成分（以下、ずれ成分という）が含まれることとなる。
【００２０】
発光ダイオード１１Ａ、１１Ｂから照射されて反射された光は、第１フィルター２５Ａと第２フィルター２５Ｂに到達する。ここで、第２フィルター２５Ｂは、透過する光の波長が第２光１２Ｂの波長となっているため、反射された光に含まれている第２光１２Ｂが第２フィルター２５Ｂを通過する。そして、この通過した光が第２受光部２２Ｂに到達すると、到達した光に応じたアナログ信号Ｓ１２がフォトダイオード２１の端子２４Ｂからコンバーター２６に出力される。なお、第２受光部２２Ｂに到達する第２光１２Ｂは、上述したように人体１００の動きの影響を受けるため、人体１００が動いた場合、端子２４Ｂから出力される信号には血流の変化の成分だけでなく、上記ずれ成分も含まれることとなる。
【００２１】
また、第１フィルター２５Ａは、透過する光の波長が第１光１２Ａの波長となっているため、反射された光に含まれている第１光１２Ａが第１フィルター２５Ａを通過する。そして、この通過した光が第１受光部２２Ａに到達すると、到達した光に応じたアナログ信号Ｓ１１がフォトダイオード２１の端子２４Ｃからコンバーター２６に出力される。なお、第１受光部２２Ａに到達する第１光１２Ａには、上述したように脈測定装置１に対する人体１００のずれの影響が表れる。
【００２２】
コンバーター２６は、端子２４Ｃから供給されたアナログ信号Ｓ１１をデジタル信号Ｓ２１に変換し、変換により得られたデジタル信号Ｓ２１をフィルター部６０へ供給する。また、コンバーター２６は、端子２４Ｂから供給されたアナログ信号Ｓ１２をデジタル信号Ｓ２２に変換し、変換により得られたデジタル信号Ｓ２２をフィルター部６０へ供給する。
【００２３】
フィルター部６０においては、デジタル信号Ｓ２１がＦＩＲフィルター６１に入力される。また、演算部６３にデジタル信号Ｓ２２が入力される。ここで、時点ｔにおけるデジタル信号Ｓ２２をＰ（ｔ）とし、脈の成分をＭ（ｔ）、ずれ成分をＮ（ｔ）とすると、時点ｔにおいてＰ（ｔ）＝Ｍ（ｔ）＋Ｎ（ｔ）となる。また、時点ｔにおけるＦＩＲフィルター６１の出力をｎ（ｔ）、演算部６３の出力をｅ（ｔ）とすると、ｅ（ｔ）＝Ｍ（ｔ）＋Ｎ（ｔ）−ｎ（ｔ）となる。係数変更部６２は、ＦＩＲフィルター６１の出力ｎ（ｔ）がＮ（ｔ）に近づくように、信号Ｓ３０からＬＭＳアルゴリズムによりＦＩＲフィルター６１の係数を設定する。ｎ（ｔ）がＮ（ｔ）に近づくと演算部６３における演算結果ｅ（ｔ）は、Ｍ（ｔ）に近づく。これにより、演算部６３における演算結果は、デジタル信号Ｓ２２からずれ成分が除去されたものに近づき、脈の成分のみを表す信号に近づくこととなる。
【００２４】
制御部３０は、フィルター部６０から出力されたデジタル信号Ｓ３０を取得すると（図７：ステップＳＢ１）、この信号Ｓ３０について高速フーリエ変換処理を施す（ステップＳＢ２）。この高速フーリエ変換処理により得られる周波数スペクトルにおいては、脈波信号に表れる脈拍の周波数にピークが表れる。制御部３０は、ピークが表れた周波数を脈拍の周波数として特定し、特定した周波数を用いて人体１００の脈拍数を算出する（ステップＳＢ３）。なお、脈拍数を算出する方法の一例としては、特定した脈拍の周波数に６０を乗じる方法がある。制御部３０は、脈拍数を算出すると、算出した脈拍数を表示部４０に表示する（ステップＳＢ４）。
【００２５】
なお、操作部５０において測定の終了を指示する操作が行われた場合（ステップＳＡ４；ＹＥＳ）、制御部３０は、発光ダイオード１１Ａ、１１Ｂを消灯する（ステップＳＡ５）。そして、図７に示した測定処理を終了し（ステップＳＡ６）、処理の流れをステップＳＡ１に戻す。一方、制御部３０は、ステップＳＡ４でＮＯと判断した場合、測定終了を指示する操作が行われた場合、処理の流れをステップＳＡ１に戻す。
【００２６】
以上説明したように本実施形態によれば、脈測定装置１の人体１００に対するずれの影響を測定結果から除去できるため、脈の情報を正確に得ることができる。
【００２７】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２８】
本発明においては、発光ダイオード１１Ａから照射される光の発光スペクトルは、乳頭層１２０に到達せずに表皮１１０で反射される波長の光が含まれていれば、ピーク波長が４００ｎｍ以外であってもよい。
また、本発明においては、発光ダイオード１１Ｂから照射される光の発光スペクトルは、網状層１４０に到達して網状層１４０の毛細血管内の血液で反射される波長の光が含まれていれば、ピーク波長が５５０ｎｍ以外であってもよい。
また、第１光１２Ａの波長が第２光１２Ｂの波長より短ければ、第１光１２Ａの波長と第２光１２Ｂの波長は、上記以外の波長であってもよい。
また、上述した実施形態においては、発光ダイオード１１Ａ、１１Ｂが人体１００に光を照射しているが、人体１００に光を照射するのは発光ダイオード１１Ａ、１１Ｂに限定されるものではない。上述した第１光１２Ａと第２光１２Ｂを照射する素子であれば、発光ダイオード以外の発光素子（例えばレーザー素子）で人体１００に光を照射してもよい。
【００２９】
本発明において第１フィルター２５Ａを透過する光の波長と、第２フィルター２５Ｂを透過する光の波長は、上述した波長に限定されるものではない。第１フィルター２５Ａは、４００ｎｍ以外の波長の光であって、乳頭層１２０に到達せず表皮１１０で反射される波長の光を透過すればよい。
また、第２フィルター２５Ｂは、５５０ｎｍ以外の波長の光であって、網状層１４０に到達して網状層１４０の毛細血管内の血液で反射される波長の光を透過すればよい。例えば、第２フィルター２５Ｂが透過する光の波長は、５７０ｎｍや６６０ｎｍなどであってもよい。
【００３０】
本発明においては、第１受光部２２Ａに到達する光の光量と、第２受光部２２Ｂに到達する光の光量とが同じまたは近くなるように、第１フィルター２５Ａの透過率と第２フィルター２５Ｂの透過率を設定してもよい。また、第１フィルター２５Ａの透過率と第２フィルター２５Ｂの透過率が同じである場合、第１受光部２２Ａに到達する光の光量と第２受光部２２Ｂに到達する光の光量とが同じまたは近くなるように、発光ダイオード１１Ａと発光ダイオード１１Ｂの発光スペクトルを設定してもよい。
また、本発明においては、検出部２０において一つの受光面を有するフォトダイオードを２つ用いて受光部を構成し、一方のフォトダイオードで第１光１２Ａを受光し、他方のフォトダイオードで第２光１２Ｂを受光する構成としてもよい。
【００３１】
本発明において脈測定装置１は、脈波信号から脈波の波形を生成し、生成した脈波の波形を表示部４０に表示してもよい。
本発明においては、制御部３０は、フィルター部６０から供給されるデジタル信号Ｓ３０を記憶部３５に記憶させてもよい。また、脈測定装置１をコンピュータ装置に接続し、記憶部３５に記憶されたデジタル信号をコンピュータ装置に送信するようにしてもよい。また、記憶部３５に記憶されたデジタル信号をコンピュータ装置で取得し、取得したデジタル信号をコンピュータ装置で解析してもよい。
また、上述した実施形態においては、測定装置１は、人体１００の脈に関する情報を得ているが、人以外の動物（生体）に対して測定装置１を使用して動物の脈に関する情報を得てもよい。
【００３２】
本発明においては、脈測定装置１は、発光ダイオード１１Ａと発光ダイオード１１Ｂとを交互に点灯させ、第１光１２Ａと第２光１２Ｂを交互に人体１００に照射してもよい。この構成の場合、第２光１２Ｂから得られるデジタル信号Ｓ２２に遅延をかけて演算部６３に入力するようにしてもよい。また、この構成の場合、デジタル信号Ｓ２１とデジタル信号Ｓ２２は、各発光ダイオードを連続して点灯させる場合と比較して離散的になるため、信号間を補間するようにしてもよい。
【００３３】
本発明においては、脈測定装置１は、体動による脈測定装置１の加速度を測定する加速度測定部として加速度センサーを有する構成としてもよい。
この構成においては、脈測定装置１は、加速度センサーから出力される信号をデジタル信号に変換し、このデジタル信号に対して高速フーリエ変換処理を行うようにしてもよい。そして、脈測定装置１は、高速フーリエ変換処理により得られた周波数スペクトルから体動の周波数を特定し、特定した周波数の成分を脈波信号から除去する演算を行ってもよい。また、脈波信号から体動の成分が除去された信号に対して高速フーリエ変換処理を行い、高速フーリエ変換処理により得られた周波数スペクトルから脈拍の周波数を特定するようにしてもよい。
【符号の説明】
【００３４】
１・・・脈測定装置、２・・・ベルト、１０・・・光源、１１Ａ、１１Ｂ・・・発光ダイオード、１２Ａ・・・第１光、１２Ｂ・・・第２光、２０・・・検出部、２１・・・フォトダイオード、２２Ａ・・・第１受光部、２２Ｂ・・・第２受光部、２３Ａ，２３Ｂ・・・フォトダイオード、２４Ａ〜２４Ｄ・・・端子、２５Ａ・・・第１フィルター、２５Ｂ・・・第２フィルター、２６・・・コンバーター、３０・・・制御部、３５・・・記憶部、４０・・・表示部、５０・・・操作部、５１Ａ，５１Ｂ・・・ボタン、６０・・・フィルター部、６１・・・ＦＩＲフィルター、６２・・・係数変更部、６３・・・演算部、１００・・・人体、１１０・・・表皮、１２０・・・乳頭層、１３０・・・乳頭下層、１４０・・・網状層
【図１】
2011104124.tif 000003
【図２】
2011104124.tif 000004
【図３】
2011104124.tif 000005
【図４】
2011104124.tif 000006
【図５】
2011104124.tif 000007
【図６】
2011104124.tif 000008
【図７】
2011104124.tif 000009